(57)【要約】【解決手段】本発明は、概して、所定の長さにわたって、かみ合うように係合された２つの閉止エレメントを含むかみ合い閉止器具に関する。閉止エレメントは、閉止エレメントが閉塞通気位置にあるとき、流体の通気を許す。閉止エレメントは閉塞閉止位置を有し、それはシールを形成しかつかみ合い閉止器具の間を流体が通過するのを防止する。閉止ファスナー器具はフレキシブル容器で使用され、ユーザーは容器をシールする前にフレキシブル容器の内側から余分な空気を排出することができる。【選択図】図５
2007534446.tif 000002
【特許請求の範囲】
【請求項１】
所定の長さにわたってかみ合うように配置された第1閉止エレメント及び第2閉止エレメントから成るかみ合い閉止器具であって、前記第1閉止エレメントは第1係合部で前記第2閉止エレメントと係合し、前記第1係合位置にある時流体が前記第1閉止エレメントと前記第2閉止エレメントとの間を流れ、前記第1閉止エレメントは第2係合部で前記第2閉止エレメントと係合し、前記第2係合位置にある時流体が前記第1閉止エレメントと前記第2閉止エレメントとの間を実質的に流れることができない、ところのかみ合い閉止器具。
【請求項２】
請求項１に記載の器具であって、前記第1閉止エレメントは、長く、離隔され、外側に伸長した一対のウェブを有するベース部を含む、ところの器具。
【請求項３】
請求項１に記載の器具であって、前記第2閉止エレメントは、長く、離隔され、外側に伸長した一対のウェブを有するベース部を含む、ところの器具。
【請求項４】
請求項２に記載の器具であって、前記第1閉止エレメントは雄フックを含む、ところの器具。
【請求項５】
請求項３に記載の器具であって、前記第2閉止エレメントは、雌フックを含む、ところの器具。
【請求項６】
請求項４に記載の器具であって、前記雄フックは前記雌フックにより前記雄フックをガイドするためのガイド面を含む、ところの器具。
【請求項７】
請求項５に記載の器具であって、前記雌フックは前記雄フックにより前記雌フックをガイドするためのガイド面を含む、ところの器具。
【請求項８】
請求項２に記載の器具であって、前記第1閉止エレメントはさらにベース部へ結合された一対の外側ウェブを含む、ところの器具。
【請求項９】
請求項３に記載の器具であって、前記第2閉止エレメントはさらにベース部へ結合された一対の外側ウェブを含む、ところの器具。
【請求項１０】
請求項９に記載の器具であって、前記一対の外側ウェブはガイド面を有する、ところの器具。
【請求項１１】
請求項１に記載の器具であって、前記第1閉止エレメントは前記第2閉止エレメントより背が高い、ところの器具。
【請求項１２】
請求項４に記載の器具であって、前記ウェブの各々は雄フックを含む、ところの器具。
【請求項１３】
請求項５に記載の器具であって、前記ウェブの各々は雌フックを含む、ところの器具。
【請求項１４】
請求項１に記載の器具であって、前記第1閉止エレメントは前記第2閉止エレメントと異なる色を含む、ところの器具。
【請求項１５】
請求項１４に記載の器具であって、前記閉止エレメントの少なくともひとつが半透明である、ところの器具。
【請求項１６】
請求項１４に記載の器具であって、前記閉止エレメントが前記第1係合位置にあるとき、前記閉止エレメントは異なる色を与える、ところの器具。
【請求項１７】
請求項１４に記載の器具であって、前記閉止エレメントが前記第2係合位置にあるとき、前記閉止エレメントは異なる色を与える、ところの器具。
【請求項１８】
請求項１４に記載の器具であって、前記第1閉止エレメントは色変化強化部材を含む、ところの器具。
【請求項１９】
請求項１８に記載の器具であって、前記色変化強化部材は前記第1閉止エレメントと一体的に関連している、ところの器具。
【請求項２０】
２つの側壁とかみ合い閉止器具から成る容器であって、前記かみ合い閉止器具は、所定の長さにわたってかみ合うように配置された第1閉止エレメント及び第2閉止エレメントを含み、前記第1閉止エレメントは第1係合部で前記第2閉止エレメントと係合し、前記第1係合位置にある時流体が前記第1閉止エレメントと前記第2閉止エレメントとの間を流れ、前記第1閉止エレメントは第2係合部で前記第2閉止エレメントと係合し、前記第2係合位置にある時流体が前記第1閉止エレメントと前記第2閉止エレメントとの間を実質的に流れることができない、ところの容器。
【請求項２１】
請求項２０に記載の容器であって、前記第1閉止エレメントは、長く、離隔され、外側に伸長した一対のウェブを有するベース部を含む、ところの容器。
【請求項２２】
請求項２０に記載の容器であって、前記第2閉止エレメントは、長く、離隔され、外側に伸長した一対のウェブを有するベース部を含む、ところの容器。
【請求項２３】
請求項２１に記載の容器であって、前記第1閉止エレメントは雄フックを含む、ところの容器。
【請求項２４】
請求項２２に記載の容器であって、前記第2閉止エレメントは、雌フックを含む、ところの容器。
【請求項２５】
請求項２３に記載の容器であって、前記雄フックは前記雌フックにより前記雄フックをガイドするためのガイド面を含む、ところの容器。
【請求項２６】
請求項２４に記載の容器であって、前記雌フックは前記雄フックにより前記雌フックをガイドするためのガイド面を含む、ところの容器。
【請求項２７】
請求項２１に記載の容器であって、前記第1閉止エレメントはさらにベース部へ結合された一対の外側ウェブを含む、ところの容器。
【請求項２８】
請求項２２に記載の容器であって、前記第2閉止エレメントはさらにベース部へ結合された一対の外側ウェブを含む、ところの容器。
【請求項２９】
請求項２８に記載の容器であって、前記一対の外側ウェブはガイド面を有する、ところの容器。
【請求項３０】
請求項２０に記載の容器であって、前記第1閉止エレメントは前記第2閉止エレメントより背が高い、ところの容器。
【請求項３１】
請求項２３に記載の容器であって、前記ウェブの各々は雄フックを含む、ところの容器。
【請求項３２】
請求項２４に記載の容器であって、前記ウェブの各々は雌フックを含む、ところの容器。
【請求項３３】
請求項２０に記載の容器であって、前記第1閉止エレメントは前記第2閉止エレメントと異なる色を含む、ところの容器。
【請求項３４】
請求項３３に記載の容器であって、前記閉止エレメントの少なくともひとつが半透明である、ところの容器。
【請求項３５】
請求項３３に記載の容器であって、前記閉止エレメントが前記第1係合位置にあるとき、前記閉止エレメントは異なる色を与える、ところの容器。
【請求項３６】
請求項３３に記載の容器であって、前記閉止エレメントが前記第2係合位置にあるとき、前記閉止エレメントは異なる色を与える、ところの容器。
【請求項３７】
請求項３３に記載の容器であって、前記第1閉止エレメントは色変化強化部材を含む、ところの容器。
【請求項３８】
請求項３７に記載の容器であって、前記色変化強化部材は前記第1閉止エレメントと一体的に関連している、ところの容器。
【請求項３９】
２つの側壁及びかみ合い閉止器具を含む容器から流体を通気させるための方法であって、前記かみ合い閉止器具は、所定の長さにわたってかみ合うように配置された第1閉止エレメント及び第2閉止エレメントを含み、当該方法は、
前記第1閉止エレメント及び前記第2閉止エレメントを第1係合位置で係合する工程と、
前記第1係合位置にあるとき、前記第1閉止エレメントと前記第2閉止エレメントとの間で流体が流れるように、前記容器に圧力を与える工程と、
前記第2係合位置にあるとき、前記第1閉止エレメントと前記第2閉止エレメントとの間で流体が実質的に流れないように、前記第1閉止エレメント及び前記第2閉止エレメントを第２係合位置で係合する工程と、
から成る方法。
【発明の詳細な説明】
【技術分野】
【０００１】
本発明は、閉止ストリップが係合した時、ガス及び液体などの流体を排出することができるようにした、かみ合い閉止ストリップに関する。このかみ合い閉止ストリップは従来のファスナー分野でのファスナーのように使用可能であり、プラスチック製バッグなどの保存容器用の閉止手段として特に有用である。
【背景技術】
【０００２】
プラスチック製バッグを含む容器を閉止するためにファスナー器具を使用することは周知である。また、プラスチック材料から作成された閉止ファスナー器具の製造は、概してこの分野のさまざまな特許による開示により、閉止ファスナー器具に関する当業者にとって周知である。
【０００３】
閉止ファスナー器具の特に周知の使用はバッグ本体などのフレキシブルな容器と関連する。閉止ファスナー器具及びそれに関連する容器は熱可塑性材料から形成される。付加的に、閉止ファスナー器具及び容器の側壁は押出しにより一体成形されるか、別々に形成された後熱シールまたは他の適当な手段により結合される。
【０００４】
フレキシブルな容器は、食料を格納及び保存するために広く使用されている。閉止ファスナー器具により、食料を気密なフレキシブル容器内に保存できる。気密閉止器具は食料の保存に好適であるが、米国特許第4,532,652号に記載されるようにフレキシブルな容器から閉止と同時に空気を排気するのは困難である。
【特許文献１】米国特許第4,532,652号
【発明の開示】
【発明が解決しようとする課題】
【０００５】
フレキシブル容器から空気を抜くために、ユーザーは自分の動きを順序づけなければならない。まず、食料で満たされたフレキシブルな容器を、実質的に、しかし完全にではなく、閉止する。次に、バッグの側壁を押すことにより空気を排出する。最後に、バッグに実質的な量の空気が再入する前にバッグを完全に閉じる。要求されるこれらの動作はわずらわしく、相当器用でないと容易に実行するのは難しい。さらに、バッグからは、食料の新鮮さを維持するようシールしたバッグの性能を減少させる空気が十分に排気されない。
【０００６】
いくつかの格納バッグは、米国特許第4,532,652号のようなバルブを使用し、米国特許第4,834,554号のような通気構造を使用して、バッグ内の空気がバッグの外部へ逃げるようにしている。
【特許文献２】米国特許第4,834,554号
【０００７】
しかし、これらの器具は、更なる空気がバッグ内に存在するかまたはバッグに進入するのを防止するために、ユーザーがバッグをシールすることができず、より複雑であり、製造コストが高い。
【課題を解決するための手段】
【０００８】
本発明は、概して、所定の長さにわたってかみ合うよう配置された２つの閉止エレメントを含むかみ合い閉止器具に関する。閉止エレメントは、それが閉塞通気位置にあるとき、流体の通気を許す。閉止エレメントは、シールを形成する閉塞された閉止位置を有し、流体がかみ合い閉止エレメントの間を通過するのを防止する。
【０００９】
閉止ファスナー器具は、ベース部を有する雄エレメント部、ベース部からほぼ同じで反対角度方向に伸長した一対の第1ウェブ、及びウェブから伸長し互いから離れるように対向する雄フック部を含む。雄フック部は嵌合閉止エレメントの雌フック部と閉塞するためにフック部をガイドするよう機能するガイド面を含む。
【００１０】
かみ合い閉止器具は、ベース部を有する雌エレメント部、一対の離隔して平行に配置された、ベース部からほぼ垂直方向に伸長したウェブ、及びウェブから伸長し互いに向かって対向する雌フック部を含む。雌フック部は、嵌合閉止エレメントの雄フック部と閉塞するためにフック部をガイドするよう機能する丸い端面または傾斜ガイド面を有する。
【００１１】
本発明に従い、閉止ファスナー器具はフレキシブル容器とともに使用され、ユーザーは、容器をシールする前にフレキシブルな容器の内部から余分な空気を排気することができる。特定的に、ユーザーは、閉止ファスナー器具を開くために口部分を引くことによりフレキシブル容器を開く。ユーザーはその後、フレキシブルな容器の内部に他の食料または他のアイテムを挿入する。所望の量の食料または他のアイテムでフレキシブル容器がいっぱいになった後、ユーザーは閉止ファスナー器具を通気位置へ動かす。その後ユーザーは、雄エレメント部と雌エレメント部との間で容器の内部から空気を抜くためにフレキシブル容器の側壁を押す。所望の量の空気がフレキシブル容器の内部から抜かれた後、ユーザーは雄エレメント部及び雌エレメント部を閉止位置に動かす。雄エレメント部及び雌エレメント部が閉止位置にあるとき、フレキシブル容器はシールされ、食料を含む内容物が逃げられなくなり、同時に流体がフレキシブル容器内に進入することもできなくなる。
【００１２】
本発明のひとつの目的は、所定の長さにわたってかみ合うよう配置された２つの閉止エレメントを含むかみ合い閉止器具を与えることである。
【００１３】
本発明の他の目的は、流体特に空気が、かみ合い閉止器具の間を通過することができる第1の位置と、流体特に空気が、かみ合い閉止器具を通過するのを防止するための第2の位置を有するかみ合い閉止器具を与えることである。
【００１４】
本発明の付加的な目的は、閉止器具が閉塞されたような感覚を有するかみ合い閉止器具を与えることである。
【００１５】
本発明のさらに他の目的は、ユーザーにとって操作が簡単で、製造コストが安いかみ合い閉止器具を与えることである。
【００１６】
本発明のさらに他の目的は、かみ合い閉止器具を含みかつ上記目的を満足するフレキシブルな容器を与えることである。
【００１７】
本発明の他の目的及び利点は以下の詳細な説明及び図面により明らかとなる。
【発明を実施するための最良の形態】
【００１８】
本発明は、かみ合い閉止器具が閉塞通気位置にあるとき、流体の通気を許すかみ合い閉止器具を与える。かみ合い閉止器具は、シールを形成し、かつ流体がかみ合い閉止器具の間を通過するのを防止する閉塞閉止位置を有する。かみ合い閉止器具は所定の長さにわたってかみ合うように配置された２つの閉止エレメントを含む。
【００１９】
用語“雄”及び“雌”閉止エレメントは概して閉止エレメントの技術分野で使用されるものであり、他の閉止エレメントとかみ合い外側に突起するフックを有するエレメントが雄閉止エレメントと呼ばれ、内側に突起したフックを有する外側のエレメントが雌閉止エレメントと呼ばれる。これらの用語はガイド部材を有しない閉止エレメントを定義するのに使用されてきた。
【００２０】
図１を参照し、典型的なフレキシブル容器40は、ボトム部42で折り曲げられかつ垂直側線エッジ44に沿ってシールされてパウチを形成する、薄い、プラスチック膜から形成される。フレキシブル容器は閉止ファスナー器具62を超えて伸張する側壁48、50を含み、閉止ファスナー器具52の開閉を簡単にする開口部54、56を与える。
【００２１】
閉止ファスナー器具のひとつの実施例が図２に示されている。閉止ファスナー器具52は雄エレメント部60を含む。雄エレメント部60はフランジ部62に結合され、ベース部64、該ベース部64からほぼ等しく反対角度で伸長した一対の第１ウェブ66及び68、及び互いに逆向きに対向するウェブ66、68から伸長する雄フック部70及び72を含む。雄フック部70、72は嵌合閉止エレメントの雌フック部と係合するためにフック部をガイドするよう機能するガイド面74、76を含む。
【００２２】
閉止ファスナー器具52は雌エレメント部80を含む。雌エレメント部はフランジ部82に結合され、ベース部84、該ベース部84から伸長した一対の離隔され平行に配置されたウェブ86、88、及び互いに向かい合って対向した、ウェブ86、88から伸長する雌フック部90、92を含む。雌フック部は丸い端面94、96を有し、それは嵌合閉止エレメントの雄フックエレメントと係合するためにフック部をガイドするよう機能する。
【００２３】
図２に示される閉止エレメント60、80は、別々に形成されてバッグ本体の側壁を形成するフィルムに結合されるか、または側壁と一体成形される。
【００２４】
ガイド部材は、閉止器具に改善された感覚を与えるよう付加され、三角形、四角形または他の適当な形状で与えられ、雄及び／または雌閉止エレメントの一部としての突起により与えられる。また、ガイド部材は、雄及び雌閉止エレメントを互いの方向へガイドする外部アライメント部材として与えられてもよい。ひとつの実施例において、ガイド部材は、雄閉止エレメントが雌閉止エレメントと接触するに従い漏斗形状の方向が与えられるように、外側に曲がったトップ部材を有し、ベースにおいて雌閉止エレメントの側にフランジ部から概して垂直方向に伸長する。
【００２５】
図２を参照して、離隔され、互いに平行に配置された一対の第2ウェブ98、100は、第1の離隔されたウェブ86、88の外側に離隔されてあり、ベース部84から部分102、104において概して垂直方向に伸長し、外側に突起したガイド面106、108を有し、雄閉止エレメント用のガイド面を与える。雄閉止エレメント部60は、一対の離隔され平行に配置された第2ウェブ110、112を含み、それは第1の離隔されたウェブ66、68の外側で離隔され、ベース部64から概して垂直方向に伸長する。
【００２６】
それぞれの雄閉止エレメントの実際の寸法が図３に示されており、図３の寸法パラメータの値はミルで与えられる。
【００２７】
【表１】
2007534446.tif 000003
図３の雄閉止エレメントとともに使用するための雌閉止エレメントが図４に示され、その寸法パラメータはミルで与えられる。
【００２８】
【表２】
2007534446.tif 000004
【００２９】
図５は図２に類似し、図２の雄及び雌閉止エレメントが閉塞通気位置にあることを示している。図５に示されるように、この位置により、流体145は雄エレメント部60と雌エレメント部80との間を通過することができる。
【００３０】
図６において、雄エレメント部60及び雌エレメント部80は、図５に示された閉塞通気位置から図７に示される閉塞閉止位置へ互いに離れて動かされる。図７において、雄エレメント部60及び雌エレメント部80は閉塞閉止位置にあるように示され、それは雄エレメント部60と雌エレメント部80の間にシールを形成し、エレメント部の間で流体が移動するのを防止する。
【００３１】
図２〜４に示されるように、第1ウェブ66、68の寸法125はウェブ86、88の寸法130より小さい。雄エレメント部60及び雌エレメント部が図７に示すように閉塞閉止位置にあるとき、この寸法関係が制限を形成する。しかし、雄エレメント部60及び雌エレメント部80が図５に示すような閉塞通気位置にあるとき、この寸法関係は制限を形成しない。
【００３２】
本発明に従い、閉止ファスナー器具52は図１に示す容器40のようなフレキシブル容器と一緒に使用される。よって、閉止ファスナー器具を有する容器40は従来の方法で従来のフレキシブル容器として使用される。
【００３３】
付加的に、ユーザーは本発明の通気能力を使用するオプションを有する。本発明は容器をシールする前に、フレキシブル容器の内部から余分な空気を排出することをユーザーに許す点に利点がある。特定的に、ユーザーは、開口部54、56を引くことによりフレキシブル容器40を開き、閉止ファスナー器具52を開く。その後、ユーザーは食料またはその他のアイテムをフレキシブル容器の内部に挿入する。ユーザーが所望の量の食料またはその他のアイテムでフレキシブル容器を満たした後、ユーザーは閉止ファスナー器具52を閉止または閉塞する。閉止ファスナー器具52は図５に示す閉止通気位置にある。その後、ユーザーは側壁48、50を押し、フレキシブル容器中から空気を外部へ逃がす。特定的に、空気は雄エレメント部60と雌エレメント部80との間を、図５の空気流145で示すように容器の内部から容器の外部へ流れる。
【００３４】
所望の量の空気がフレキシブル容器の内部から排出された後、ユーザーは雄エレメント部60及び雌エレメント部80を図７に示す閉塞閉止部分に動かす。特定的に、ユーザーは雄及び雌エレメント部60、80を閉塞閉止位置に動かすよう開口部54、56を外側に引く。雄エレメント部60及び雌エレメント部80が図７に示す閉塞閉止位置の方向へ動くに従い、それらは回転しまたは図６に示す位置に一時的に到達する。雄エレメント部60及び雌エレメント部80が図７に示す閉塞閉止部にある場合、フレキシブル容器はシールされ、流体は逃げることも容器に入ることもできない。
【００３５】
また、本発明の通気閉止ファスナー器具を有する容器40は、非通気かみ合い閉止を有する従来のフレキシブル容器に使用される通気方法で使用されてもよい。しかし、従来の容器と異なり、本発明の通気閉止は、通気処理中に容器の内容物を損失せず、容器に再入する空気の量を最小限にする。ユーザーが従来の通気方法を使用したければ、ユーザーは上記方法を修正してもよい。フレキシブル容器内に食料または他のアイテムを配置した後、ユーザーは、図７に示すように、相対的に短い長さを除き閉止ファスナー器具52の実質的に全体の長さに沿って、雄エレメント部60及び雌エレメント80を閉塞閉止部に配置する。ユーザーは、図５に示す閉塞通気位置にある短い長さの閉止ファスナー器具52を通じて、容器の内側から余分な空気を吐き出す。所望の量の空気が吐き出された後、容器の外部の空気が容器の内部に再入する前に、ユーザーは雄エレメント部60及び雌エレメント部80を図７に示す閉塞閉止位置へ素早く動かす。
【００３６】
図８は図５に類似するが、雄エレメント部160の第1ウェブ166、168は、雌エレメント部80の第1ウェブ88、90より相対的に長い。
【００３７】
図９は図５に類似するが、雌エレメント部180の第1ウェブ188、190は、雄エレメント部60の第1ウェブ66、68より相対的に長い。
【００３８】
図１０及び１１は図５と類似するが、雌エレメント部280の第1ウェブ288、290は雄フック部70、72と係合する付加的突起214、216を含む。この特定的実施例は、ひとつのセットの突起214、216を示すが、エレメント部は２個、３個、４個など所望の多数の突起を含んでもよい。ユーザーが雄エレメント部60を通気位置から閉止位置へ雌エレメント部280から離れるように動かすに従い、雄フック部70、72は付加的な突起214、216と接触する。この動きの間、第1ウェブ66、68は、突起214及び216を通過するに従い互いの方向へたわみ、ユーザーが雄エレメント部及び雌エレメント部を通常の閉止位置へ動かすような感覚を与える。
【００３９】
図１２は図８に類似するが、第1ウェブ366、368は付加的な突起371、373を含む。この特定の実施例は、一つのセットの突起371、373を示すが、エレメント部は、２個、３個、４個などのような所望の多くの突起を含みことができる。ユーザーが雄エレメント部及び雌エレメント部を通気位置から閉止位置まで動かすに従い、これらの付加的な突起371、373は雌フック部90、92と接触する。この動きの間、突起371、373が雌フック部90、92を通過するに従い、ウェブ366、368は互いの方向へたわみ、その結果ユーザーに感覚を与える。図１３は図２に類似するが、雌フック部490、492はガイド面495、497を含む。概してガイド面495、497は、雌嵌合閉止エレメント480と閉塞するために雄フック部70、72をガイドするように機能する。
【００４０】
図１４は図７と類似するが、雄エレメント部560は伸長した第2ウェブ510、512を有する。ファスナー器具52が閉塞されたとき、第2ウェブ510、512が雌エレメント部80と接触する。第2ウェブ510、512は、閉塞閉止位置において、雄及び雌フックの間でシールを維持するのを助ける。特定的に、ファスナー器具が完全な閉塞閉止位置を達成する前に、第2ウェブ510、512が雌エレメント部80と接触する。完全に閉塞閉止位置にあるとき、第2ウェブ510、512が曲がるかまたはたわむ。このたわみは、雄及び雌エレメント部560、80を互いから離れるように負荷をかけ、それがシールを維持するのを助ける。
【００４１】
図１５は図５に類似の閉塞通気位置での図１４のファスナー器具を示す。第2ウェブ510、512は開口部513、515を有し、それらは雄及び雌エレメント部560、80の長さに沿って配置されている。開口部は、空気の流れ545により示されるように、容器の内部と外部との間で空気が流れることを許す。
【００４２】
図１４及び１５のファスナー器具を通気させるために、ユーザーはフランジ部62、82を挟むことにより、ファスナー器具へ力547を与える。力547は第2ウェブ510、512をさらにたわませてシールを破るように印加され、図１５に示すような閉塞通気位置を達成する。ユーザーは側壁48、50を押し、容器の内部から外部へ空気を吐き出す。特定的に、空気は、第2ウェブ内の開口部513、515を通じて、エレメント部80と560との間を通過する。ユーザーが容器の通気を完了した後、ユーザーは力を除去し、第2ウェブ510、512のバイアス力のために、雄及び雌エレメント部は図１４に示す閉塞閉止部に戻る。
【００４３】
図１〜７に対して上記した方法は、図８〜１５に示した実施例に対しても使用可能である。
【００４４】
概して、閉止ファスナー器具を形成する本発明の閉止エレメントは、ポリエチレン、ポリプロピレン、ナイロン等の熱可塑性材料、またはそれらの組み合わせから形成される。よって、高密度ポリエチレン、中間密度のポリエチレン及び低密度のポリエチレンのような樹脂または樹脂の混合物が本発明の新規な閉止器具を与えるのに使用される。
【００４５】
閉止熱可塑性材料の光分散特性は重要であるため、熱可塑性材料の特定の着色が閉止の色変化特性に有効である。例えば、雄エレメント部が半透明であり、雌エレメント部が不透明であってもよい。雄及び雌エレメント部が閉塞されたとき、閉塞を視覚的に表すために異なる色が与えられる。ファスナー器具は、米国特許第4,829,641号に開示されるような色変化強化部材を含んでもよい。米国特許第4,829,641号はここに参考文献として組み込む。
【００４６】
本発明の閉止ファスナー器具は、押出しまたは他の周知の方法により製造される。閉止ファスナー器具は、後で膜へ取り付けるために独立の閉止エレメントとして製造されるか、閉止エレメント部は膜と一体的に製造されてもよい。付加的に、閉止ファスナー器具は、意図した使用または予期した付加的な製造動作に依存して、閉止エレメントの一方または両方にフランジ部を有しまたは有しないで製造される。
【００４７】
本発明の実施において、閉止ファスナー器具は容器の側壁と一体的に形成されるか、または周知の方法により容器に結合される。電熱装置が閉止エレメントのフランジ部と接触して膜に適用されるか、または電熱装置がフランジ部を有しない閉止エレメントのベース部分と接触して膜に適用され、それにより膜への熱伝導が生じ、膜のインターフェース及び閉止エレメントのフランジ部またはベース部において融解が生じる。電熱装置は、加熱ロータリーディスク、抵抗加熱スライド線、走行ヒータバンド等である。膜と閉止エレメントとの間の結合は、熱融解接着剤の使用、インターフェースへの空気の熱噴射、超音波加熱、またはその他の方法により確立される。概して、閉止ファスナー器具及びバッグの本体を形成する膜は熱シール可能な材料から作られ、その結果容器は上記コンポーネントを熱シールすることにより経済的に形成され、閉止エレメントを形成するための上記した熱可塑性材料を使って容器が形成される。
【００４８】
付加的に、閉止ファスナー器具は容器の外側からよりも容器の内側から開くのがより困難であるように設計され、それにより、食料などのより安全な収納が与えられる。閉止器具のエレメント部はほぼ均一な断面を有する。これは、器具の製造を単純化するだけでなく、器具の物理的なフレキシビリティに寄与し、それは好ましい性質である。
【００４９】
概して、本発明の閉止ファスナー器具は、使用目的に適したさまざまな形式で製造される。さらに、雄及び雌閉止エレメントが膜の反対側に配置されてもよい。このような実施例は、ひとつの物体またはワイヤーのような物体の集合をラッピングするのに適している。概して、膜上の雄及び雌閉止エレメントは互いに平行であるが、これは意図した使用に依存する。
【００５０】
本発明の特定の実施例が説明されてきたが、本発明はこれに限定されず、上記教示に従い修正が可能であることは当業者の知るところである。したがって、そのような修正は特許請求の範囲に記載された本発明の思想及び態様の範囲に包含される。
【図面の簡単な説明】
【００５１】
【図１】図１は、本発明に従う閉止ファスナー器具を含むフレキシブル容器の斜視図である。
【図２】図２は、本発明のひとつの実施例に従う閉止ファスナー器具が非閉塞位置にある状態を示した、図１の線２−２に沿った部分断面図である。
【図３】図３は、本発明のひとつの実施例に従う雄閉止エレメントの構成を示した断面図である。
【図４】図４は、図３の雄閉止エレメントとともに使用するのに適した本発明に従う雌閉止エレメントのひとつの実施例の構成を示した断面図である。
【図５】図５は、本発明に従う閉止ファスナー器具のひとつの実施例であって、閉塞通気位置にある状態を示した断面図である。
【図６】図６は、図５に示す閉止ファスナー器具であり、中間閉塞位置にある状態を示した断面図である。
【図７】図７は、図２〜６に示す閉止ファスナー器具であり、閉塞閉止位置にある状態を示した断面図である。
【図８】図８は、雌閉止エレメントの雌ウェブより比較的長い雄ウェブを有する、本発明に従う閉止ファスナー器具の他の実施例であり、閉塞通気位置にある状態を示す断面図である。
【図９】図９は、雄閉止エレメントの雄ウェブより比較的長い雌ウェブを有する、本発明に従う閉止ファスナー器具の他の実施例であり、閉塞通気位置にある状態を示す断面図である。
【図１０】図１０は、雌閉止エレメント上に付加的な雌フック部または突起部を有する、本発明に従う閉止ファスナー器具の他の実施例であり、中間閉塞位置にある状態を示す断面図である。
【図１１】図１１は、閉塞閉止位置にある、図１０に示す閉止ファスナー器具の断面図である。
【図１２】図１２は、付加的な雄フック部または突起部を有する雄閉止エレメントを有する、本発明に従う閉止ファスナー器具の他の実施例であり、閉塞通気位置にある状態を示す断面図である。
【図１３】図１３は、閉塞閉止位置にある、本発明に従う閉止ファスナー器具の他の実施例の断面図である。
【図１４】図１４は、閉塞閉止位置にある、本発明に従う閉止ファスナー器具の他の実施例の断面図である。
【図１５】図１５は、閉塞通気位置にある、図１４に示す閉止ファスナー器具の他の実施例の断面図である。
【図１】
2007534446.tif 000005
【図２】
2007534446.tif 000006
【図３】
2007534446.tif 000007
【図４】
2007534446.tif 000008
【図５】
2007534446.tif 000009
【図６】
2007534446.tif 000010
【図７】
2007534446.tif 000011
【図８】
2007534446.tif 000012
【図９】
2007534446.tif 000013
【図１０】
2007534446.tif 000014
【図１１】
2007534446.tif 000015
【図１２】
2007534446.tif 000016
【図１３】
2007534446.tif 000017
【図１４】
2007534446.tif 000018
【図１５】
2007534446.tif 000019
【国際調査報告】
2007534446.tif 000020